(57)【特許請求の範囲】
【請求項１】
遊技球を発射する発射装置と、該発射装置によって発射された遊技球を上方へ誘導する通路と、該通路の放出口を通過した遊技球が入る遊技部と、該遊技部に放出された遊技球が前記通路に戻ることを防止する戻り防止部材とを備えた遊技機において、
前記通路は、前記遊技部側に敷設される金属製の内側レールと、該内側レールより前記遊技部の反対側に敷設される金属製の外側レールとにより形成され、前記発射装置から発射された遊技球を前記外側レールに沿って前記放出口へ誘導する通路とされ、
前記戻り防止部材は、前記内側レールの端部に取り付けられる取付具と、該取付具に固定されるとともに前記内側レールから前記遊技部側へ離間して設けられる部分を有する基部及び該部分を前記遊技部に沿う方向へ前記外側レールに向けて延出して形成された先端部を有する戻り防止片とを備え、
該戻り防止片は、金属製の板材により形成され、且つ、前記基部において前記遊技部側へ離間して設けられる部分より前記遊技部の反対側に曲折した部分の縁部から延出して形成され前記内側レールと前記外側レールとに架け渡される架け渡し部と、該架け渡し部から延出して形成され前記外側レールに当接する第一の接触部と、前記基部のうち前記曲折した部分により形成され前記内側レールに当接する第二の接触部とを有し、前記架け渡し部の両側に形成された前記第一の接触部と前記第二の接触部との間に前記外側レール及び前記内側レールを配置した状態で前記戻り防止片の先端部及び前記外側レールを前記内側レールと導通させることを特徴とする遊技機。
【発明の詳細な説明】
【０００１】
【発明の属する技術分野】
本発明は、遊技機に関し、内側レールの端部に取り付けられる取付具と、この取付具に基部を固定されるとともに同基部とは反対側の先端を外側レールに向けて延出した弾性体からなる戻り防止片とを有する戻り防止部材を備えた遊技機に関する。
【０００２】
【従来の技術】
従来、遊技機の遊技盤には、発射装置から発射された遊技球を遊技部に誘導する金属製の外側レールと内側レールとが敷設されており、遊技球はこれらの内側レールと外側レールとの間を通って遊技部に放出される。ここで、遊技球が遊技部から発射装置に戻らないようにするため、内側レールの端部に遊技球戻り防止部材が取り付けられる。この種の遊技球戻り防止部材として、図１２に示すように、実開平６−１１７７９号公報に開示されたものが知られている。なお、同図は、遊技球戻り防止部材１を分解状態にて遊技盤側から見て示した分解斜視図である。
【０００３】
図において、遊技球戻り防止部材１は、概略、金属製ばね板材からなる戻り防止片２と、合成樹脂材で形成された取付具３とから構成されている。戻り防止片２は、内側レール４の端部４ａに遊技球戻り防止部材１が取り付けられたとき、先端２ａが基部２ｂから外側レールに向けて延出するように形成されている。取付具３には、戻り防止片２の基部２ｂを差し込んで保持するための凹部３ａや、フランジ付きビス５，５が螺着される筒部３ｂ，３ｂや、内側レール４の端部４ａを差し込む微小幅のスリット３ｃが形成されている。基部２ｂを凹部３ａに差し込んでフランジ付きビス５，５を筒部３ｂ，３ｂに螺着すると、戻り防止片２は取付具３に基部２ｂを固定される。そして、端部４ａにスリット３ｃをはめ合わせると、遊技球戻り防止部材１は内側レール４の端部４ａに取り付けられる。このとき、戻り防止片２は内側レール４から外側レールに向けて先端２ａが延出しているので、遊技部から戻ろうとする遊技球は戻り防止片２により跳ね返される。
【０００４】
【発明が解決しようとする課題】
上述した従来の遊技球戻り防止部材においては、以下のような課題があった。
すなわち、発射装置から発射された多数の遊技球が戻り防止片に衝突すると、電荷が戻り防止片に蓄積されて静電気が生じることがある。すると、電気ノイズが発生するため、遊技機に設けられた電子機器の動作に影響を与える可能性があった。
本発明は、上記課題にかんがみてなされたもので、戻り防止片に生じる静電気を防ぐことが可能な遊技機の提供を目的とする。
【０００５】
【課題を解決するための手段】
上記目的を達成するため、請求項１にかかる発明は、遊技球を発射する発射装置と、該発射装置によって発射された遊技球を上方へ誘導する通路と、該通路の放出口を通過した遊技球が入る遊技部と、該遊技部に放出された遊技球が前記通路に戻ることを防止する戻り防止部材とを備えた遊技機において、前記通路は、前記遊技部側に敷設される金属製の内側レールと、該内側レールより前記遊技部の反対側に敷設される金属製の外側レールとにより形成され、前記発射装置から発射された遊技球を前記外側レールに沿って前記放出口へ誘導する通路とされ、前記戻り防止部材は、前記内側レールの端部に取り付けられる取付具と、該取付具に固定されるとともに前記内側レールから前記遊技部側へ離間して設けられる部分を有する基部及び該部分を前記遊技部に沿う方向へ前記外側レールに向けて延出して形成された先端部を有する戻り防止片とを備え、該戻り防止片は、金属製の板材により形成され、且つ、前記基部において前記遊技部側へ離間して設けられる部分より前記遊技部の反対側に曲折した部分の縁部から延出して形成され前記内側レールと前記外側レールとに架け渡される架け渡し部と、該架け渡し部から延出して形成され前記外側レールに当接する第一の接触部と、前記基部のうち前記曲折した部分により形成され前記内側レールに当接する第二の接触部とを有し、前記架け渡し部の両側に形成された前記第一の接触部と前記第二の接触部との間に前記外側レール及び前記内側レールを配置した状態で前記戻り防止片の先端部及び前記外側レールを前記内側レールと導通させる構成としてある。
【０００６】
【発明の効果】
以上説明したように、本発明は、戻り防止片に生じる静電気を防ぐことが可能な遊技機を提供することができる。
【０００７】
【発明の実施の形態】
手段１として、遊技盤に敷設された内側レールの端部に取り付けられる取付具と、この取付具に基部を固定されるとともに同基部とは反対側の先端を同内側レールの外側に敷設された外側レールに向けて延出した弾性体からなる戻り防止片とを備える遊技球戻り防止部材であって、上記戻り防止片は、導電性を有する部材とされるとともに、上記基部から上記内側レールと外側レールとを架け渡されて同外側レールへと導通するように形成されてもよい。
上記手段１においては、取付具に基部を固定される戻り防止片は、導電性を有している。この戻り防止片は、基部から内側レールと外側レールとを架け渡されて同外側レールへと導通するように形成されている。すると、戻り防止片に存在する電荷は、同戻り防止片の内部を通って基部から外側レールへと導通可能である。
ここで、外側レールを導電性を有する部材としてグランドに接続しておくと、電荷は戻り防止片から外側レールを通してグランドへと流れる。したがって、戻り防止片に電荷が発生しても、蓄積されず、静電気は生じない。その結果、遊技機に設けられた電子機器の動作に影響を与える可能性のある電気ノイズの発生を防ぐことができる。また、戻り防止片は取付具を介して内側レールの端部に取り付けられるので、内側レールに特別な加工を行う必要はない。
ここで、戻り防止片に適用可能な導電性を有する部材は様々である。例えば、板状の金属ばねを適用してもよいし、弾性ゴムや半導体等を適用してもよい。
また、戻り防止片を基部から外側レールへと導通するように形成するのは様々可能であり、手段２として、上記手段１に記載の遊技球戻り防止部材において、上記戻り防止片の基部には、上記内側レールから架け渡して上記外側レールに接触する接触部が形成されてもよい。
上記手段２においては、戻り防止片の基部に形成された接触部が外側レールに接触する。すると、戻り防止片に発生した電荷は、接触部から外側レールへと移動可能である。したがって、簡易な構成で、戻り防止片に生じる静電気を防ぐことができる。その際、外側レールにも特別な加工を行う必要はない。
【０００８】
上記接触部の構成は様々可能であり、手段３として、上記手段２に記載の遊技球戻り防止部材において、上記基部には、上記遊技盤とは反対側の縁部から上記外側レール方向に延出した架け渡し部が形成され、上記接触部は、上記架け渡し部における上記外側レール側の縁部から上記遊技盤方向に延出して形成されるとともに、同外側レールの外側面に当接してもよい。
上記手段３においては、接触部は、戻り防止片の基部の縁部から架け渡し部を介して形成され、外側レールの外側面に当接する。すなわち、簡易な構造で接触部が形成される。
【０００９】
むろん、上記架け渡し部における外側レール側の縁部から遊技盤方向に延出して接触部とするのは一例に過ぎず、接触部の構成は様々可能である。例えば、基部における遊技盤側の縁部を内側レール側に折り返し、折り返し部分における遊技盤とは反対側の縁部から外側レール方向に延出した架け渡し部を形成し、この架け渡し部における外側レール側の縁部から遊技盤方向に延出して接触部を形成してもよい。また、外側レールはカーブを描くように遊技盤に敷設されているので、外側レールとの接触箇所を増やすために、架け渡し部における外側レール側の縁部から遊技盤方向に複数の突出片を形成してもよい。
【００１０】
ここで、戻り防止片の基部に接触部を形成するときの取付具の構成例である手段４として、上記手段２または手段３に記載の遊技球戻り防止部材において、上記取付具は、上記内側レールから上記外側レールへと架け渡されて上記接触部を固定してもよい。
上記手段４においては、接触部は、内側レールから外側レールへと架け渡された取付具にて固定される。すなわち、より確実に接触部を外側レールに接触させることができ、戻り防止片に生じる静電気を防ぐことができる。
【００１１】
また、敷設する遊技盤によって内側レールと外側レールとの間隔が異なる場合でも、接触部を外側レールに接触させることができれば好都合である。そこで、手段５として、上記手段４に記載の遊技球戻り防止部材において、上記接触部は、上記外側レールの外側面に当接し、上記取付具は、上記外側レールの外側面に当接した上記接触部を同外側レール方向に付勢する付勢機構を備えていてもよい。
上記手段５においては、付勢機構は、外側レールの外側面に当接した接触部を外側レール方向に付勢する。すなわち、内側レールと外側レールとの間隔が異なる場合でも、同じ遊技球戻り防止部材にて接触部を外側レールに接触させて、戻り防止片に発生する電荷を外側レールに移動させることができる。
ここで、付勢機構の構成は様々可能である。例えば、接触部の外側レールとは反対側にばねを設けて同接触部を外側レール方向に付勢する構成としてもよいし、ばねの代わりにゴムを設けた構成としてもよい。
【００１２】
ところで、戻り防止片の基部から外側レールへと導通させるには、上述した種々の接触部を設ける以外にも可能であり、手段６として、上記手段１に記載の遊技球戻り防止部材において、上記取付具に固定されるとともに、上記戻り防止片の基部を上記外側レールに導通させる導通部材が設けられてもよい。
上記手段６においては、取付具に固定された導通部材は、戻り防止片の基部を外側レールに導通させる。すなわち、戻り防止片に発生した電荷は、導通部材を介して外側レールへと移動可能である。したがって、戻り防止片に生じる静電気を防ぐことができる。この場合も、戻り防止片は取付具を介して内側レールの端部に取り付けられるので、内側レールに特別な加工を行う必要はない。
【００１３】
ここで、上記手段６に記載の遊技球戻り防止部材において、上記導通部材を、変形可能であるとともに、上記戻り防止片の基部と上記外側レールとの間に介装された導電性弾性部材で構成してもよい。この場合、戻り防止片に発生した電荷は、戻り防止片の基部と外側レールとの間に介装された導電性弾性部材を介して外側レールへと移動可能である。ここで、導電性弾性部材は変形可能であるので、戻り防止片や外側レールとの接触面積が大きくなる。したがって、より確実に戻り防止片の電荷を外側レールへ移動させることができ、戻り防止片に生じる静電気を防ぐことができる。
【００１４】
なお、導電性弾性部材には、例えば、導電ゴム、導電スポンジ、導電性高分子等、様々な素材を採用することができる。むろん、導通部材に導電性弾性部材を用いなくても戻り防止片の電荷を外側レールへ移動させることができることには変わりがないため、例えば、金属板、発光体、半導体、ブザー等を導通部材としてもよい。
また、取付具を導通部材とし、戻り防止片の基部を外側レールに導通させるように形成してもよい。
【００１５】
ところで、戻り防止片に発生した電荷が十分に外側レールへ移動しない場合、内側レールへ移動させることができると好都合である。そこで、手段７として、上記手段１〜手段６のいずれかに記載の遊技球戻り防止部材において、上記戻り防止片の基部には、上記内側レールに接触する第二の接触部が形成されてもよい。
上記手段７においては、戻り防止片の基部に形成された第二の接触部は、内側レールに接触している。すると、戻り防止片に発生した電荷は、第二の接触部から内側レールへと移動可能である。ここで、内側レールを導電性を有する部材としてグランドに接続しておくと、電荷は戻り防止片から内側レールを通してグランドへと流れる。したがって、戻り防止片に発生した電荷が十分に外側レールへ移動しない場合でも、確実に戻り防止片に生じる静電気を防ぐことができる。
【００１６】
上記第二の接触部の構成は様々可能である。例えば、上記手段７に記載の遊技球戻り防止部材において、上記第二の接触部を、上記基部の縁部を上記内側レール側に折り返して形成するとともに、上記内側レールの内側面に当接させる構成としてもよい。この場合、戻り防止片の基部の縁部を内側レール側に折り返して形成された接触部が内側レールの内側面に当接する。すなわち、簡易な構造で第二の接触部が形成される。
【００１７】
ここで、戻り防止片の基部における遊技盤側の縁部を内側レール側に折り返して第二の接触部としてもよいし、基部における遊技盤とは反対側の縁部を内側レール側に折り返して第二の接触部としてもよい。また、基部における先端とは反対側の縁部を内側レール側に折り返して第二の接触部としてもよい。
むろん、基部の縁部を内側レール側に折り返して第二の接触部とするのは一例に過ぎず、第二の接触部の構成は上記以外にも様々可能である。例えば、基部の縁部を戻り防止片の先端とは反対側に延出して内側レールの内側面に当接するように第二の接触部を形成してもよい。その際、カーブを描くように遊技盤に敷設された内側レールに対する接触面積を大きくするために第二の接触部を内側レールの内側面と略一致する曲面形状に形成してもよいし、接触箇所を多くするために基部の縁部を戻り防止片の先端とは反対側に延出した複数の突出片としてもよい。
【００１８】
上述のように、戻り防止片の静電気を防止する際の手法は、必ずしも実体のある遊技球戻り防止部材に限られる必要もない。そこで、手段８として、遊技盤に敷設された内側レールの端部に取り付けられる取付具と、この取付具に基部を固定されるとともに同基部とは反対側の先端を同内側レールの外側に敷設された外側レールに向けて延出した弾性体からなる戻り防止片とを有する遊技球戻り防止部材が設けられた戻り防止片の静電気防止方法であって、上記戻り防止片を導電性を有する部材で形成するとともに上記基部から上記内側レールと外側レールとを架け渡されて同外側レールへと導通するように形成し、同戻り防止片の静電気を防止してもよい。
すなわち、必ずしも実体のある遊技球戻り防止部材に限らず、戻り防止片の静電気防止方法としても有効であり、手段２〜手段７に記載された構成を当該方法に対応させることが可能であることは言うまでもない。
【００１９】
なお、上記手段２によれば、簡易な構成で、戻り防止片に生じる静電気を防ぐことが可能となる。
さらに、上記手段３によれば、簡易な構造で接触部を形成することができる。
【００２０】
さらに、上記手段４によれば、より確実に戻り防止片に生じる静電気を防ぐことが可能となる。
さらに、上記手段５によれば、敷設する遊技盤によって内側レールと外側レールとの間隔が異なる場合でも、同じ遊技球戻り防止部材にて接触部を外側レールに接触させて、確実に戻り防止片に生じる静電気を防ぐことが可能となる。
さらに、上記手段６によれば、内側レールに特別な加工を行う必要がなく、戻り防止片に生じる静電気を防ぐことが可能な遊技球戻り防止部材の別の一例を提供することができる。
【００２１】
さらに、上記手段７によれば、戻り防止片に発生した電荷が十分に外側レールへ移動しない場合でも、確実に戻り防止片に生じる静電気を防ぐことが可能となる。
【００２２】
以下、図面にもとづいて本発明の実施形態を説明する。
図１は、本発明の第一の実施形態にかかる遊技球戻り防止部材３０が取り付けられた遊技機を正面から見て示している。
同図において、遊技機の正面には、略長方形の枠状に形成された前面枠１１が装着され、この前面枠１１の内側に略長方形の枠状に形成された金枠１２が設けられている。金枠１２の上方側には平板形状のガラス扉１３が取り付けられ、下方側には平板形状の前面板１４が取り付けられている。ガラス扉１３の後方には遊技盤１５が配置され、ガラス扉１３を介して視認可能となっている。遊技盤１５の前面には金属製のガイドレール１６が敷設されており、このガイドレール１６で囲まれる遊技部１７に、複数の風車１７ａや普通入賞口１７ｂ、遊技球が入賞する入口の大きさが変化する可変入賞口１７ｃ、遊技球が入賞する入口が開閉される大入賞口１７ｄ等が設けられている。また、遊技部１７の略中央部に開口が設けられ、大当たり状態等の状態を表示する表示装置１７ｅが取り付けられている。
【００２３】
前面板１４の前面には、上皿１４ａが取り付けられ、打球される遊技球が収容されるようになっている。また、金枠１２の下方には、上皿１４ａから供給される遊技球を打球する強さを変えるハンドル１８や、余剰球を収容する下皿１９が取り付けられている。
なお、前面枠１１の後側には、図示しない景品玉タンクや各種のパチンコ球の処理機構が取り付けられている。
【００２４】
ガイドレール１６は、内側レール２１と、この内側レール２１の外側に敷設された外側レール２２とから構成されている。遊技部１７の左上となる内側レール２１の端部には、外側レール２２との間で放出口２３が形成されている。この内側レール２１の端部に、本発明にいう遊技球戻り防止部材３０が取り付けられている。そして、遊技球戻り防止部材３０の戻り防止片３１は、内側レール２１の端部から外側レール２２に向けて略上方に先端が延出しているので、遊技球が通過しないときには放出口２３を閉じた状態にさせている。
図示しない発射装置から発射された遊技球は、これらの内側レール２１と外側レール２２との間を移動し、遊技球戻り防止部材３０の戻り防止片３１を通過して遊技部１７に放出される。戻り防止片３１は金属製の弾性体であり、遊技球が衝突した際に内側レール２１方向に撓んで遊技球を通過させる。なお、戻り防止片３１を通過した遊技球は、速度が大きいとき、遊技部１７の右上に設けられた返しゴム２４に衝突して進行方向を変えられる。
一方、遊技部１７から放出口２３に向かって移動する遊技球は、内側レール２１と外側レール２２との間を塞ぐように配置された戻り防止片３１により跳ね返される。したがって、遊技部１７に放出された遊技球は発射装置に戻らない。
【００２５】
図２は、本発明の第一の実施形態にかかる遊技球戻り防止部材３０を分解状態にて遊技盤１５側から見て示した分解斜視図である。すなわち、図の上側が遊技盤１５側であり、下側がガラス扉１３側となる。なお、遊技盤１５については図示を省略している。また、本実施形態では、遊技盤１５の内側方向を単に内側方向、遊技盤１５の外側方向を単に外側方向として記載する。
図において、遊技球戻り防止部材３０は、概略、金属製ばね板材すなわち導電性を有する弾性体からなる戻り防止片３１と、合成樹脂材で形成された取付具３２とから構成されている。戻り防止片３１は、内側レール２１の端部２１ａの所定位置とされたとき、先端３１ａが基部３１ｂから外側レール２２に向けて延出するように形成されている。取付具３２は、内側レール２１よりも若干幅広に形成され、遊技盤１５と対向する側の両端部にはそれぞれフランジ部３２ａ，３２ａが張り出している。同フランジ部３２ａ，３２ａには、遊技盤１５に形成された穴にはめ合わせて取付具３２を仮止めするための突起３２ｂ，３２ｂや、遊技盤１５にビス止めにて取付具３２を固定するための貫通孔３２ｃ，３２ｃが形成されている。また、取付具３２には、戻り防止片３１の基部３１ｂを差し込んで保持するための凹部３２ｄや、フランジ付きビス３３が螺着される筒部３２ｅや、内側レール２１の端部２１ａを差し込む微小幅のスリット３２ｆが形成されている。このスリット３２ｆの先端には、内側レール２１に対する差し込み位置を規定するためのストッパ凸部３２ｇが同スリット３２ｆと直交する方向に沿って形成されている。
【００２６】
凹部３２ｄは、遊技盤１５側の方向に開口するとともに、遊技球を放出する側の面に開口３２ｈが形成されている。開口３２ｈは、戻り防止片３１が必要な撓み変形十分に許容する開口幅に設定されている。また、内側レール２１側の縁部３２ｊからストッパ凸部３２ｇとは反対側の略半分が切り欠かれて開口３２ｋが形成されている。開口３２ｋは、後述する戻り防止片３１の架け渡し部３１ｆよりも若干広い幅とされている。この開口３２ｋのガラス扉１３側から外側へ架け渡し部３２ｌが延出し、架け渡し部３２ｌの外側の縁部から遊技盤１５方向に延出部３２ｍが延出している。架け渡し部３２ｌは内側レール２１と外側レール２２の間隔よりも若干長くしてあり、端部２１ａに遊技球戻り防止部材３０を取り付けたときに延出部３２ｍが外側レール２２よりも外側に配置される。延出部３２ｍの内側面は、戻り防止片３１が取付具３２に取り付けられたときに、同戻り防止片３１の接触部３１ｄの外側面と密接するようになっている。すなわち、取付具３２は、内側レール２１から外側レール２２へと架け渡されて接触部３１ｄを固定する。
【００２７】
戻り防止片３１は、凹部３２ｄ内に差し込まれる基部３１ｂの先端３１ａとは反対側の端部３１ｃがほぼ直角に内側方向に折り曲げられている。基部３１ｂを凹部３２ｄに差し込むと、端部３１ｃは、凹部３２ｄの側面における開口３２ｈとは反対側に形成された掛止部３２ｉに掛止される。その後、凹部３２ｄの開口に蓋３４を被せ、蓋３４に形成された貫通孔３４ａにフランジ付きビス３３のねじ部３３ａを貫通させ、フランジ付きビス３３を筒部３２ｅに螺着すると、戻り防止片３１は取付具３２に基部３１ｂを固定される。そして、取付具３２を若干ガラス扉１３側の位置から端部２１ａの方向へと移動させ、同端部２１ａにスリット３２ｆをはめ合わせると、図１で示したように、遊技球戻り防止部材３０は内側レール２１の端部２１ａに取り付けられる。
【００２８】
このときの遊技球戻り防止部材３０の状態を図３の斜視図に示している。なお、遊技盤１５の図示は省略している。
同図において、戻り防止片３１の先端３１ａ側は、開口３２ｈより突出する部分から放出口２３を塞ぐ方向へ緩やかに折れ曲がっている。すなわち、戻り防止片３１は、放出口２３が閉じた状態となるように組み付けられている。
なお、戻り防止片３１は、発射された遊技球の通過に支障を来さない程度の低い剛性のものが使用されているが、遊技盤１５からの戻り球が当たったときの衝撃には十分に抗することができる程度の剛性とされている。
【００２９】
ところで、発射装置から発射された多数の遊技球が戻り防止片３１に衝突すると、電荷が戻り防止片３１に蓄積されて静電気が生じることがある。蓄積される電荷は、遊技盤１５の材質等により、正電荷の場合もあれば、負電荷の場合もある。すると、電気ノイズが発生するため、遊技機に設けられた図示しない電子機器の動作に影響を与える可能性がある。一方、戻り防止片３１を直接内側レール２１に取り付けようとすると、内側レール２１に戻り防止片を係止させる穴を加工する必要が生じる。
そこで、本実施形態では、金属製の外側レール２２をグランドに接続するとともに、戻り防止片３１の基部３１ｂから内側レール２１と外側レール２２とを架け渡して外側レール２２へと導通するように接触部３１ｄを基部３１ｂに形成している。
【００３０】
この接触部３１ｄは、戻り防止片３１の基部３１ｂにおけるガラス扉１３側の縁部３１ｅから架け渡し部３１ｆが外側方向に延出するとともに同架け渡し部３１ｆの外側の縁部３１ｇから遊技盤１５方向に延出して形成されている。架け渡し部３１ｆは内側レール２１と外側レール２２の間隔よりも若干長くしてあり、端部２１ａに遊技球戻り防止部材３０を取り付けたときに接触部３１ｄは取付具３２の延出部３２ｍの内側面と外側レール２２の外側面２２ａとの間で当接しながら挟まれる。すなわち、戻り防止片３１の基部３１ｂに形成された接触部３１ｄは、内側レール２１から架け渡して外側レール２２に接触する。
なお、本実施形態では、架け渡し部３１ｆと内側レール２１のガラス扉１３側の縁部との間に若干の間隔が生じるが、同架け渡し部３１ｆは内側レール２１の縁部に接触していてもよい。
【００３１】
戻り防止片３１を取付具３２に固定すると、図４の斜視図に示すように、架け渡し部３１ｆのガラス扉１３側の面が取付具３２の架け渡し部３２ｌに密接し、接触部３１ｄの外側面が取付具３２の延出部３２ｍに密接した状態となる。そして、図３で示したように取付具３２を内側レール２１の端部２１ａに取り付けると、図５の断面図に示すように、戻り防止片３１の基部３１ｂに形成された接触部３１ｄは、内側レール２１から外側レール２２へとガラス扉１３側において架け渡されて外側レール２２の外側面２２ａに当接する。なお、図５は、内側レール２１の端部２１ａに取り付けられた遊技球戻り防止部材３０の状態を図３のＡ−Ａの位置から見て示した断面図である。すなわち、簡易な構造にて、戻り防止片３１の基部３１ｂから外側レール２２へと導通可能となる。
【００３２】
ここで、グランドに接続された外側レール２２は導電性を有しており、戻り防止片３１も導電性を有する部材で形成されている。すると、図６の矢印に示すように、戻り防止片３１に存在する電荷は、同戻り防止片３１の内部を先端３１ａから基部３１ｂの方向へ移動し、さらに架け渡し部３１ｆの内部を外側方向に移動する。そして、接触部３１ｄから外側レール２２の外側面２２ａに引き渡された後、外側レール２２の内部をグランドの接続部の方向へと移動し、グランドへと流れる。すなわち、戻り防止片３１に発生する電荷は外側レール２２を介してグランドへと流れ出ていく。なお、図６は、内側レール２１の端部２１ａに取り付けられた遊技球戻り防止部材３０を取付具３２等を透視して遊技盤１５側から垂直方向に見て示している。
したがって、戻り防止片３１に電荷が発生しても、蓄積されず、静電気は生じない。その結果、電気ノイズの発生を防ぐことができ、遊技機に設けられた電子機器の動作に影響を与えない。また、戻り防止片３１は取付具３２を介して内側レール２１の端部２１ａに取り付けられるので、内側レール２１に特別な加工を行う必要はない。接触部３１ｄは外側レール２２の外側面２２ａに当接するように形成されているので、外側レール２２にも特別な加工を行う必要はない。さらに、内側レール２１から外側レール２２へと架け渡された取付具３２にて接触部３１ｄが固定されるので、確実に接触部３１ｄを外側レール２２に接触させることができ、戻り防止片３１に生じる静電気を防ぐことができる。
【００３３】
ところで、戻り防止片の基部から内側レールへと導通させるには、上述した接触部を設ける以外にも可能である。
図７は、本発明の第二の実施形態にかかる遊技球戻り防止部材４０を分解状態にて遊技盤側から見て示した分解斜視図である。図において、戻り防止片４１には接触部が設けられておらず、代わりに、取付具４２に固定されて戻り防止片４１の基部４１ｂを外側レール２２に導通させる導通部材４５が設けられている。導通部材４５は、遊技盤１５側に開口部を向けて断面が略コ字形となるように金属製ばね板材から形成されている。この導通部材４５は、取付具４２に固定されたとき、最も内側となる接触面４５ａにて基部４１ｂの外側面に接触する。また、接触面４５ａにおけるガラス扉１３側の縁部４５ｅから架け渡し部４５ｆが外側方向に延出するとともに、同架け渡し部４５ｆの外側の縁部４５ｇから当接面４５ｄが遊技盤１５方向に延出している。
【００３４】
戻り防止片４１の基部４１ｂと導通部材４５の接触面４５ａを凹部４２ｄに差し込み、凹部４２ｄの開口に蓋４４を被せ、フランジ付きビス４３を筒部４２ｅに螺着すると、戻り防止片４１と導通部材４５とは取付具４２に基部４１ｂや接触面４５ａが固定される。そして、取付具４２のスリット４２ｆを内側レール２１の端部２１ａにはめ合わせると、遊技球戻り防止部材４０は同端部２１ａに取り付けられる。このときの遊技球戻り防止部材４０の外観は、若干異なるものの、概略、図４で示した遊技球戻り防止部材３０と同様になる。そして、導通部材４５の当接面４５ｄが外側レール２２の外側面２２ａに当接する。
【００３５】
すなわち、取付具４２に固定された導通部材４５は、戻り防止片４１の基部４１ｂを外側レール２２に導通させる。すると、戻り防止片に発生した電荷は、簡易な構造ながら、導通部材を介して外側レールへと移動可能である。この場合も、戻り防止片は取付具を介して内側レールの端部に取り付けられるので、内側レールに特別な加工を行う必要はない。
【００３６】
なお、導通部材は様々な構成が可能である。例えば、図８に示す遊技球戻り防止部材５０のように、導通部材として、戻り防止片５１の基部５１ｂを外側レール２２に導通させる変形可能な導電性弾性部材５５を用いてもよい。なお、導電性弾性部材５５として、ガラス扉１３側に開口部を向けて断面が略コ字形に形成された導電ゴムを使用している。図では、便宜上、導電性弾性部材５５の表面に多数の点を付している。ここで、導電性弾性部材５５としては、導電ゴム以外にも、導電性ポリアセチレン、導電性ポリピロール、導電性ポリチオフェン等の導電性高分子を使用してもよいし、多孔質の導電スポンジを使用してもよい。
【００３７】
戻り防止片５１は、基部５１ｂにおけるガラス扉１３側の縁部５１ｅから架け渡し部５１ｆが外側方向に延出するとともに、同架け渡し部５１ｆの外側の縁部５１ｇから延出部５１ｄが遊技盤１５方向に延出している。この延出部５１ｄは、導電性弾性部材５５の相対向する両翼辺部に挟まれた凹部５５ａに差し込むことが可能である。
戻り防止片５１を取付具５２に固定し、延出部５１ｄを凹部５５ａに差し込んで取付具５２を内側レール２１の端部２１ａに取り付けると、戻り防止片５１の基部５１ｂに形成された延出部５１ｄと外側レール２２の外側面２２ａとの間に導電性弾性部材５５が介装された状態となる。
【００３８】
すると、戻り防止片５１に発生した電荷は、基部５１ｂに形成された延出部５１ｄから導電性弾性部材５５を介して外側レール２２へと移動する。ここで、導電性弾性部材５５は変形可能であるので、戻り防止片５１や外側レール２２との接触面積が大きい。したがって、より確実に戻り防止片の電荷を外側レールへ移動させることができ、戻り防止片に生じる静電気を防ぐことができる。
なお、図７の導通部材４５を金属製ばね板材の代わりに導電ゴム等の導電性弾性部材としても、同様の効果が得られる。
【００３９】
この他、導通部材を発光体とし、戻り防止片から外側レールへと移動する電荷を用いて発光させる構成としてもよい。発光体には、ネオンランプ、発光ダイオード等、様々なものを採用することが可能である。また、発光体に電流を流すために一定の電圧を必要とする場合、戻り防止片を通過した遊技球の数に応じて発光体を点滅させることができる。むろん、導通部材を発光体で構成するのは一例に過ぎない。例えば、導通部材を発光しないダイオードやその他の半導体で構成してもよいし、ブザーで構成してもよく、様々な構成が可能である。これらの場合でも、戻り防止片に生じる静電気を防ぐことができる。
【００４０】
ところで、外側レールをグランドに接続することができない等の理由で、戻り防止片に発生した電荷が十分に外側レールへ移動しない場合、この電荷を内側レールへ移動させることができると好都合である。
図９は、第三の実施形態にかかる遊技球戻り防止部材６０を分解状態にて遊技盤１５側から見て示した分解斜視図である。なお、本実施形態では、内側レール２１、外側レール２２ともにグランドに接続している。また、基部６１ｂから外側レール２２へと導通するように同基部６１ｂに接触部６１ｄが形成されるとともに、戻り防止片６１の基部６１ｂから内側レール２１へと導通するように第二の接触部６１ｈも形成されている。
すなわち、基部６１ｂにおける遊技盤１５側の縁部６１ｅが内側レール２１側に折り返されて第二の接触部６１ｈが形成され、さらに第二の接触部６１ｈのガラス扉１３側の縁部から架け渡し部６１ｆが外側方向に延出するとともに同架け渡し部６１ｆの外側の縁部から遊技盤１５方向に延出して接触部６１ｄが形成されている。
【００４１】
一方、取付具６２には、凹部６２ｄの内側レール２１側に開口が形成されておらず、戻り防止片６１を取付具６２に固定するとき、第二の接触部６１ｈが内側レール２１側の縁部６２ｊを乗り越えるようになっている。そして、取付具６２は、戻り防止片６１の架け渡し部６１ｆの形状に合わせてガラス扉１３側から外側へ架け渡し部６２ｌが延出し、戻り防止片６１の接触部６１ｄの形状に合わせて架け渡し部６２ｌの外側の縁部から遊技盤１５方向に延出部６２ｍが延出している。取付具６２が内側レール２１の端部２１ａに取り付けられたとき、取付具６２は、架け渡し部６２ｌにて内側レール２１から外側レール２２へと架け渡され、延出部６２ｍにて接触部６１ｄを固定する。
【００４２】
戻り防止片６１を取付具６２に固定すると、第二の接触部６１ｈは内側レール２１側の縁部６２ｊを乗り越えた状態となるとともに、接触部６１ｄは延出部６２ｍの内側面に当接した状態となる。そして、取付具６２を内側レール２１の端部２１ａに取り付けると、戻り防止片６１の基部６１ｂに形成された接触部６１ｄは外側レール２２の外側面２２ａに当接するとともに、同基部６１ｂに形成された第二の接触部６１ｈは内側レール２１の内側面２１ｂに当接する。
【００４３】
すると、図１０の矢印に示すように、戻り防止片６１に存在する電荷は、接触部６１ｄから外側レール２２を介してグランドへと流れる以外にも、第二の接触部６１ｈから内側レール２１の内側面２１ｂに引き渡された後、内側レール２１の内部を通ってグランドへと流れる。すなわち、戻り防止片６１に発生する電荷は内側レール２１を介してもグランドへと逃げていく。したがって、戻り防止片に発生した電荷が十分に外側レールへ移動しない場合でも、確実に戻り防止片に生じる静電気を防ぐことができる。
なお、第二の接触部６１ｈの縁部から架け渡し部６１ｆを介して接触部６１ｄを形成するのは一例に過ぎず、第二の接触部の構成は様々可能である。例えば、接触部３１ｄが形成された図２の戻り防止片３１において、基部３１ｂにおける遊技盤１５側の縁部を延出し、内側レール２１側に折り返して第二の接触部としてもよい。
【００４４】
また、内側レールと外側レールとの間隔が異なる場合でも、上述の接触部を外側レールの外側面に接触させることができれば好都合である。
図１１は、第四の実施形態にかかる遊技球戻り防止部材７０を分解状態にて遊技盤１５側から見て示した分解斜視図である。図において、戻り防止片７１は導電性弾性部材である導電ゴムで形成されている。この戻り防止片７１は、やや肉厚である点を除いて、図９の戻り防止片６１と略同形状に形成されている。一方、延出部７２ｍの内側面には、コイルスプリング７２ｎ，７２ｎを介して付勢板７２ｏが延出部７２ｍと略平行に取り付けられている。そして、戻り防止片７１が取付具７２に固定されたとき、付勢板７２ｏは接触部７１ｄを内側方向に付勢する。すなわち、延出部７２ｍ、コイルスプリング７２ｎ，７２ｎ、付勢板７２ｏは、外側レールの外側面に当接した接触部を同外側レール方向に付勢する、本発明にいう付勢機構を構成している。
【００４５】
戻り防止片７１を取付具７２に固定し、付勢板７２ｏを外側に引っ張りながら取付具７２を内側レール２１の端部２１ａに取り付けると、戻り防止片７１の基部７１ｂに形成された接触部７１ｄは外側レール２２の外側面２２ａに当接する。ここで、接触部７１ｄは付勢板７２ｏにより外側レール２２方向に付勢されるので、内側レールと外側レールとの間隔が異なる場合でも接触部を外側レールに接触させることができる。したがって、内側レールと外側レールとの間隔が異なる場合でも接触部を外側レールに接触させることが可能となる。
【００４６】
以上説明したように、本発明の一実施形態によると、戻り防止片に存在する電荷は、同戻り防止片の内部を通って基部から外側レールや内側レールへと流れ出ていく。その際、戻り防止片は取付具を介して内側レールの端部に取り付けられるので、内側レールに特別な加工を行う必要はない。したがって、内側レールに特別な加工を行う必要がなく、戻り防止片に生じる静電気を防ぐことが可能な遊技球戻り防止部材および戻り防止片の静電気防止方法を提供することができる。
【図面の簡単な説明】
【図１】  本発明の第一の実施形態にかかる遊技球戻り防止部材が取り付けられた遊技機を正面から見て示す正面図である。
【図２】  遊技球戻り防止部材を分解状態にて遊技盤側から見て示した分解斜視図である。
【図３】  内側レールの端部に取り付けられた遊技球戻り防止部材の状態を示す斜視図である。
【図４】  取付具に戻り防止片を固定したときの遊技球戻り防止部材の状態を示す斜視図である。
【図５】  内側レールの端部に取り付けられた遊技球戻り防止部材の状態を図３のＡ−Ａの位置から見て示した断面図である。
【図６】  内側レールの端部に取り付けられた遊技球戻り防止部材を取付具等を透視して遊技盤側から垂直方向に見て示した部分透視図である。
【図７】  第二の実施形態にかかる遊技球戻り防止部材を分解状態にて遊技盤側から見て示した分解斜視図である。
【図８】  変形例にかかる遊技球戻り防止部材を分解状態にて遊技盤側から見て示した分解斜視図である。
【図９】  第三の実施形態にかかる遊技球戻り防止部材を分解状態にて遊技盤側から見て示した分解斜視図である。
【図１０】  内側レールの端部に取り付けられた遊技球戻り防止部材を取付具等を透視して遊技盤側から垂直方向に見て示した部分透視図である。
【図１１】  第四の実施形態にかかる遊技球戻り防止部材を分解状態にて遊技盤側から見て示した分解斜視図である。
【図１２】  従来例にかかる遊技球戻り防止部材を分解状態にて遊技盤側から見て示した分解斜視図である。
【符号の説明】
２１…内側レール
２１ａ…端部
２１ｂ…内側面
２２…外側レール
２２ａ…外側面
２３…放出口
２４…返しゴム
３０…遊技球戻り防止部材
３１…戻り防止片
３１ａ…先端
３１ｂ…基部
３１ｃ…端部
３１ｄ…接触部
３１ｅ…縁部
３１ｆ…架け渡し部
３１ｇ…縁部
３２…取付具
３２ｌ…架け渡し部
３２ｍ…延出部
４５…導通部材
５５…導電性弾性部材
６１ｄ，７１ｄ…接触部
６１ｈ…第二の接触部
７２ｍ…延出部
７２ｎ…コイルスプリング
７２ｏ…付勢板
【図１】
0004352200.tif 000002
【図２】
0004352200.tif 000003
【図３】
0004352200.tif 000004
【図４】
0004352200.tif 000005
【図５】
0004352200.tif 000006
【図６】
0004352200.tif 000007
【図７】
0004352200.tif 000008
【図８】
0004352200.tif 000009
【図９】
0004352200.tif 000010
【図１０】
0004352200.tif 000011
【図１１】
0004352200.tif 000012
【図１２】
0004352200.tif 000013